(57)【要約】【課題】複数の映像ファイル及び音声ファイルが外部メモリに記録されている場合であっても、適正な順序で各ファイルを再生することができる映像／音声再生制御装置を提供する。【解決手段】外部メモリにＡＶファイルを記録する際、各ＡＶファイル毎に、ＡＶファイル名とそのトラック番号を対応づけて記録する。この外部メモリに記録されているＡＶファイルを再生する際には、トラック番号に基づいて、各ＡＶファイルの再生順序を決定する。【選択図】図３
2010283686.tif 000002
【特許請求の範囲】
【請求項１】
外部メモリに複数の映像ファイル又は音声ファイルを記録する映像／音声記録制御方法において、
各映像ファイル又は各音声ファイル毎に、ファイル名とその再生順序を示すトラック番号を対応づけて記録することを特徴とする映像／音声記録制御方法。
【請求項２】
請求項１に記載の映像／音声記録制御方法によって記録された映像ファイル又は音声ファイルを再生する映像／音声再生制御方法において、
前記トラック番号に基づいて、各映像ファイル又は各音声ファイルの再生順序を決定することを特徴とする映像／音声再生制御方法。
【請求項３】
前記トラック番号に基づいて、各映像ファイル又は各音声ファイルをプレイバックコントロールにて再生することを特徴とする請求項２に記載の映像／音声再生制御方法。
【請求項４】
請求項１に記載の映像／音声記録制御方法を用いて、外部メモリに複数の映像ファイル又は音声ファイルを記録することを特徴とする映像／音声記録制御装置。
【請求項５】
請求項２又は請求項３に記載の映像／音声再生制御方法を用いて、外部メモリに記録されている複数の映像ファイル又は音声ファイルを再生することを特徴とする映像／音声再生制御装置。
【発明の詳細な説明】
【技術分野】
【０００１】
本発明は、映像／音声を記録再生する制御方法及びそれを用いた制御装置に関するものである。
【背景技術】
【０００２】
従来から、ＶＣＤ（ビデオＣＤ）、ＳＶＣＤ（スーパービデオＣＤ）、ＤＶＤやブルーレイディスク等の光ディスク再生装置においては、光ディスクに映像ファイル及び音声ファイルと対応づけて記録されているトラック番号に基づいて、ＰＢＣ（プレイバックコントロール）再生が可能なように構成されている。
【０００３】
例えば、特許文献１には、ＰＢＣ再生を行う際に、システムコントローラにおいて、プレイバック制御情報ファイルから読み出されたセレクション・リストに基づいてシーケンスの選択情報と再生に関するキー動作情報と再生遷移情報とを含む情報がメニュー画面に表示されると共に、再生に関するキー動作情報と再生遷移情報とを含む情報がメニュー画面に表示される光ディスク再生装置が示されている。また、特許文献２には、ＰＢＣ機能を備えたビデオＣＤに対して再生中断時、表示されていたフレーム画像に対応する再生中のリストのリストＩＤをバックアップメモリに記憶させる画像情報再生装置が示されている。また、特許文献３には、データファイル毎に特定のファイル番号を付加すると共に、ファイル番号とハードディスク上のトラック番号との対応を記述したデータファイル管理用テーブルに基づいてデータファイルの管理を行うディスク型記録再生装置が示されている。
【先行技術文献】
【特許文献】
【０００４】
【特許文献１】特開２００５−２５１２９７号公報
【特許文献２】特開２００３−６９９３２号公報
【特許文献３】特開平９−１２８１５５号公報
【発明の概要】
【発明が解決しようとする課題】
【０００５】
一方、近年、ＳＤカード型メモリやＵＳＢ（Universal Serial Bus）メモリに代表される外部メモリは、飛躍的に大容量化が進展し、映像ファイル及び音声ファイルの記録が可能となっている。しかしながら、外部メモリに記録されるファイルは、通常、ファイル名によって管理されるため、複数の映像ファイル及び音声ファイルが外部メモリに記録されている場合、適正な順序で各ファイルを再生することができない。例えば、外部メモリに記録されている映像ファイル及び音声ファイルが、ファイル名の５０音順（又はアルファベット順）に再生され、映像ファイル及び音声ファイルのストーリ展開に問題が生ずる。また、上記特許文献１乃至３に示された光ディスクに関する技術を適用しても上記課題を解決することができない。
【０００６】
本発明は、上記課題を解決するためになされたものであり、複数の映像ファイル及び音声ファイルが外部メモリに記録されている場合であっても、適正な順序で各ファイルを再生することができる映像／音声記録再生制御方法及びそれを用いた映像／音声記録再生制御装置を提供することを目的とする。
【課題を解決するための手段】
【０００７】
上記目的を達成するために請求項１の発明は、外部メモリに複数の映像ファイル又は音声ファイルを記録する映像／音声記録制御方法において、各映像ファイル又は各音声ファイル毎に、ファイル名とその再生順序を示すトラック番号を対応づけて記録することを特徴とする。
【０００８】
請求項２の発明は、請求項１に記載の映像／音声記録制御方法によって記録された映像ファイル又は音声ファイルを再生する映像／音声再生制御方法において、前記トラック番号に基づいて、各映像ファイル又は各音声ファイルの再生順序を決定することを特徴とする。
【０００９】
請求項３の発明は、請求項２に記載の映像／音声再生制御方法において、前記トラック番号に基づいて、各映像ファイル又は各音声ファイルをプレイバックコントロールにて再生することを特徴とする。
【００１０】
請求項４の発明は、請求項１に記載の映像／音声記録制御方法を用いて、外部メモリに複数の映像ファイル又は音声ファイルを記録することを特徴とする映像／音声記録制御装置である。
【００１１】
請求項５の発明は、請求項２又は請求項３に記載の映像／音声再生制御方法を用いて、外部メモリに記録されている複数の映像ファイル又は音声ファイルを再生することを特徴とする映像／音声再生制御装置である。
【発明の効果】
【００１２】
請求項１の発明によれば、各映像ファイル又は各音声ファイル毎に、ファイル名とそのトラック番号を対応づけて記録するので、外部メモリを記録媒体として用いながらも、ＶＣＤと同様に、再生時にトラック番号を用いることができるようになる。
【００１３】
請求項２の発明によれば、トラック番号に基づいて、各映像ファイル又は各音声ファイルの再生順序を決定するので、外部メモリを記録媒体として用いながらも、ＶＣＤと同様に、適正な順序で各映像ファイル又は各音声ファイルを再生できるようになる。
【００１４】
請求項３の発明によれば、トラック番号に基づいて、各映像ファイル又は各音声ファイルをプレイバックコントロールにて再生するので、外部メモリを記録媒体として用いながらも、ＶＣＤと同様に、プレイバックコントロール再生を利用できるようになる。
【００１５】
請求項４の発明によれば、請求項１と同様に、外部メモリを記録媒体として用いながらも、再生時にトラック番号を用いることができるようになる。
【００１６】
請求項５の発明によれば、請求項２及び請求項３と同様に、外部メモリを記録媒体として用いながらも、適正な順序で各映像ファイル又は各音声ファイルを再生でき、また、プレイバックコントロール再生を利用できるようになる。
【図面の簡単な説明】
【００１７】
【図１】本発明の映像／音声記録再生制御装置の一実施形態である光ディスク装置の構成を示すブロック図。
【図２】光ディスク装置によって外部メモリに記録されている映像ファイル又は音声ファイルのディレクトリ構成例の一部を抜粋して示す図。
【図３】同ディレクトリに記録されているファイル登録情報の内容を示す図。
【発明を実施するための形態】
【００１８】
本発明の映像／音声記録再生制御装置の一実施形態である光ディスク装置について図面を参照して説明する。図１は光ディスク装置の構成を示している。光ディスク装置１は、光ピックアップ２と、信号処理部３と、内部メモリ４と、映像出力部５と、音声出力部６と、リモートコントローラ（指令入力手段）７と、受信部８と、制御部（制御手段）９と、メモリスロット１０、外部メモリ１１等によって構成されている。
【００１９】
光ピックアップ２は、光ディスク装置１に装填された光ディスクの記録面にレーザ光を照射し、その反射光を光電変換することにより光ディスクに記録されているデータを読み出す。光ディスクには、映像ファイル又は音声ファイルの他、各ファイルの再生順序を示すトラック番号等の各種の制御データが記録されている。信号処理部３は、光ピックアップ２によって読み出されたデータを処理する。信号処理部３が行う処理としては、例えば光ピックアップ２から出力された信号の復調や、復号等が挙げられる。内部メモリ４は、信号処理部３によって処理された映像データ及び音声データ等を一時的に記憶する。内部メモリ４としては、フラッシュメモリを適用することができる。
【００２０】
映像出力部５は、内部メモリ４に記憶されている映像データをモニタ装置等の映像表示装置が処理可能な信号に変換して出力する。音声出力部６は、内部メモリ４に記憶されている音声データをスピーカ等の音声出力装置が処理可能な信号に変換して出力する。リモートコントローラ７は、光ディスク装置１に指令を遠隔的に入力するために、ユーザによって操作され、その操作に応じた赤外線信号を出力する。受信部８は、リモートコントローラ７から出力された赤外線信号を受信して、それに応じた電気信号を制御部９に転送する。制御部９は、上記各部の制御を司る。例えば、制御部９は、受信部８から転送された電気信号に応じて、光ピックアップ２、信号処理部３、内部メモリ４、映像出力部５及び音声出力部６等を制御して、光ディスクに記録されている映像ファイル又は音声ファイルを再生させる。
【００２１】
メモリスロット１０は、外部メモリ１１が装脱自在に構成され、装填された外部メモリ１１に光ディスクから読み出されたデータを記録する。また、外部メモリ１１に記録されているデータを読み出す。外部メモリ１１の例としては、ＳＤカード型メモリやＵＳＢメモリ等が挙げられる。
【００２２】
図２は、光ディスク装置１によって外部メモリ１１に記録されている映像ファイル及び音声ファイルのディレクトリ構成例の一部を示している。外部メモリ１１に記録されているルートディレクトリは、プレイバックコントロール（ＰＢＣ）再生情報ファイル５１と、映像ファイル及び音声ファイル（ＡＶファイル）５２と、ＡＶファイル登録情報ファイル（ＦＩＬＥ＿ＥＮＴＲＹＳ．ＩＮＦＯ）５３を有している。ＰＢＣ再生情報ファイル５１は、ＩＮＦＯ．ＶＣＤ、ＥＮＴＲＹＳ．ＶＣＤ、ＬＯＴ．ＶＣＤ、ＰＳＤ．ＶＣＤ等のファイルによって構成されている。ＡＶファイル５２は、ＡＶＦＩＬＥ０１．ＤＡＴ、ＡＶＦＩＬＥ０２．ＤＡＴ．．．等のファイルによって構成されている。ＡＶファイル登録情報ファイル５３には、ＡＶＦＩＬＥ０１．ＤＡＴ、ＡＶＦＩＬＥ０２．ＤＡＴ．．．等の再生順序を示すトラック番号が記録されている。
【００２３】
図３は、ＡＶファイル登録情報ファイル５３の記録内容を示している。ＡＶファイル登録情報ファイル５３には、各ＡＶファイル毎に、トラック番号、ファイル名データ長、対応ＡＶファイル名等が対応づけて記録されている。制御部９が再生時にトラック番号を参照することにより、すなわちトラック番号に基づいて、各ＡＶファイルを適正な順序で再生することができ、また、リモートコントローラ７を介して入力された指令に応じてＰＢＣ再生をすることができる。ファイル名データ長は、その後に続いて記録されている対応ＡＶファイル名のデータ長を示し、ファイル名データ長に記録されている数字によって、対応ＡＶファイル名の記録領域が確保される。
【００２４】
以上のように、本実施形態の光ディスク装置１によれば、各ＡＶファイル毎に、ＡＶファイル名とそのトラック番号を対応づけて記録するので、外部メモリ１１を記録媒体として用いながらも、ＶＣＤと同様に、再生時にトラック番号を用いることができるようになる。また、トラック番号に基づいて、各ＡＶファイルの再生順序を決定するので、外部メモリ１１を記録媒体として用いながらも、ＶＣＤと同様に、適正な順序で各ＡＶファイルを再生できるようになる。また、トラック番号に基づいて、各ＡＶファイルをＰＢＣにて再生するので、外部メモリ１１を記録媒体として用いながらも、ＶＣＤと同様に、ＰＢＣ再生を利用できるようになる。
【００２５】
なお、本発明は上記実施形態の構成に限られることなく、少なくとも各ＡＶファイル毎に、ＡＶファイル名とそのトラック番号を対応づけて記録する機能、又はトラック番号に基づいて、各ＡＶファイルの再生順序を決定する機能のいずれか一方を実現できるように構成されていればよい。また、外部メモリ１１の替わりに、光ディスク装置１の内部に組み込まれる不揮発性のメモリを用いてもよい。
【符号の説明】
【００２６】
１    光ディスク装置（映像／音声記録再生制御装置）
１０    メモリスロット
１１    外部メモリ
【図１】
2010283686.tif 000003
【図２】
2010283686.tif 000004
【図３】
2010283686.tif 000005